(57)【要約】【課題】  ガイド軸の高精度な位置決め・固定を行なう上で有利な撮像装置を提供することにある。【解決手段】  ガイド軸押え部材９は、大径軸部９Ｂが大径凹部８Ｂに収容されるとともに小径軸部９Ａが小径孔８Ａに収容され、かつ、大径軸部９Ｂと小径軸部９Ａとの境をなす端面が大径凹部８Ｂと小径孔８Ａとの境をなす端面に当て付けられて配設されている。ガイド軸１４は、その前端が凹部９１ｃに保持されるとともに、後端が嵌合孔９Ｃに嵌合固定された状態で、ガイド軸１４の延在方向に対して直交する方向にガイド軸押え部材９が動かされ、これによりガイド軸１４で案内される１群レンズ枠のレンズの光軸が１群および２群のレンズの光軸と平行するように位置調節がなされる。【選択図】        図１３
2005055761.tif 000002
【特許請求の範囲】
【請求項１】
外装を構成するケースと、
前記ケースで支持された撮影光学系と、
前記撮影光学系の後方に設けられた撮像素子と、
前記ケースで支持され前記撮像素子が取着されたベースと、
前記撮影光学系を駆動する駆動機構とを備え、
前記撮影光学系は、レンズと、前記レンズを保持するレンズ枠と、前記レンズ枠に挿通されることで前記レンズ枠を光軸方向に案内するガイド軸とを有し、
前記駆動機構は、前記レンズ枠を前記ガイド軸に沿って移動させるように構成され、
前記ガイド軸の後端がベースに取着され前記ガイド軸はベースから前方に突出する撮像装置において、
前記ベースに取付部を設け、
前記ガイド軸の前端を予め前記ベースに対して位置決めして固定し、
前記取付部に、前記ガイド軸の後端が固定されるガイド軸押え部材を設け、
前記ガイド軸押え部材を前記取付部において前記ガイド軸の延在方向に対して直交する方向に動かし前記ガイド軸の後端の位置調節を行なった後、前記ガイド軸押え部材を取付部に固定するようにした、
ことを特徴とする撮像装置の製造方法。
【請求項２】
外装を構成するケースと、
前記ケースで支持された撮影光学系と、
前記ケースで支持され撮像素子が取着されるベースと、
前記撮影光学系を駆動する駆動機構とを備え、
前記撮影光学系は、レンズと、前記レンズを保持するレンズ枠と、前記レンズ枠に挿通されることで前記レンズ枠を光軸方向に案内するガイド軸とを有し、
前記駆動機構は、前記レンズ枠を前記ガイド軸に沿って移動させるように構成され、
前記ガイド軸の後端がベースに取着され前記ガイド軸はベースから前方に突出するレンズ装置において、
前記ベースに取付部を設け、
前記ガイド軸の前端を予め前記ベースに対して位置決めして固定し、
前記取付部に、前記ガイド軸の後端が固定されるガイド軸押え部材を設け、
前記ガイド軸押え部材を前記取付部において前記ガイド軸の延在方向に対して直交する方向に動かし前記ガイド軸の後端の位置調節を行なった後、前記ガイド軸押え部材を取付部に固定するようにした、
ことを特徴とするレンズ装置の製造方法。
【請求項３】
外装を構成するケースと、
前記ケースで支持された撮影光学系と、
前記撮影光学系の後方に設けられた撮像素子と、
前記ケースで支持され前記撮像素子が取着されたベースと、
前記撮影光学系を駆動する駆動機構とを備え、
前記撮影光学系は、レンズと、前記レンズを保持するレンズ枠と、前記レンズ枠に挿通されることで前記レンズ枠を光軸方向に案内するガイド軸とを有し、
前記駆動機構は、前記レンズ枠を前記ガイド軸に沿って移動させるように構成され、
前記ガイド軸の後端がベースに取着され前記ガイド軸はベースから前方に突出する撮像装置において、
前記ベースに、小径孔が形成されるとともに前記ベースの後面で前記小径孔の周囲に環状の当接面が設けられ、
前記ガイド軸の後端が固定されるガイド軸押え部材が設けられ、
前記ガイド軸押え部材は、前記ベースの当接面に当接される当接面と、前記小径孔に挿通される該小径孔よりも外径の小さい小径軸部と、前記小径軸部の前端面に形成され前記ガイド軸の後端が嵌合される嵌合孔とを有し、
前記小径軸部が前記小径孔に挿通され前記小径軸部の外周面と小径孔の内周面との間に隙間が確保された状態で前記ベースの当接面と前記ガイド軸押え部材の当接面とが当接されて固定されている、
ことを特徴とする撮像装置。
【請求項４】
前記ベースは前記小径孔と同軸上で前記ベースの後面に設けられた大径凹部を有し、前記ベースの当接面は、前記大径凹部の底面で形成され、前記ガイド軸押え部材は、小径軸部と同軸上に設けられた大径軸部を有し、前記ガイド軸押え部材の当接面は、前記小径軸部と大径軸部との境の部分の端面で形成されていることを特徴とする請求項３記載の撮像装置。
【請求項５】
前記ガイド軸の前端は、前記ベースに一体に設けられたガイド軸保持壁により支持されていることを特徴とする請求項３記載の撮像装置。
【請求項６】
前記嵌合孔は、前記ガイド軸の後端が挿入される有底状の孔で形成されていることを特徴とする請求項３記載の撮像装置。
【請求項７】
外装を構成するケースと、
前記ケースで支持された撮影光学系と、
前記ケースで支持され撮像素子が取着されるベースと、
前記撮影光学系を駆動する駆動機構とを備え、
前記撮影光学系は、レンズと、前記レンズを保持するレンズ枠と、前記レンズ枠に挿通されることで前記レンズ枠を光軸方向に案内するガイド軸とを有し、
前記駆動機構は、前記レンズ枠を前記ガイド軸に沿って移動させるように構成され、
前記ガイド軸の後端がベースに取着され前記ガイド軸はベースから前方に突出するレンズ装置において、
前記ベースに、小径孔が形成されるとともに前記ベースの後面で前記小径孔の周囲に環状の当接面が設けられ、
前記ガイド軸の後端が固定されるガイド軸押え部材が設けられ、
前記ガイド軸押え部材は、前記ベースの当接面に当接される当接面と、前記小径孔に挿通される該小径孔よりも外径の小さい小径軸部と、前記小径軸部の前端面に形成され前記ガイド軸の後端が嵌合される嵌合孔とを有し、
前記小径軸部が前記小径孔に挿通され前記小径軸部の外周面と小径孔の内周面との間に隙間が確保された状態で前記ベースの当接面と前記ガイド軸押え部材の当接面とが当接されて固定されている、
ことを特徴とするレンズ装置。
【請求項８】
前記ベースは前記小径孔と同軸上で前記ベースの後面に設けられた大径凹部を有し、前記ベースの当接面は、前記大径凹部の底面で形成され、前記ガイド軸押え部材は、小径軸部と同軸上に設けられた大径軸部を有し、前記ガイド軸押え部材の当接面は、前記小径軸部と大径軸部との境の部分の端面で形成されていることを特徴とする請求項７記載のレンズ装置。
【請求項９】
前記ガイド軸の前端は、前記ベースに一体に設けられたガイド軸保持壁により支持されていることを特徴とする請求項７記載のレンズ装置。
【請求項１０】
前記嵌合孔は、前記ガイド軸の後端が挿入される有底状の孔で形成されていることを特徴とする請求項７記載のレンズ装置。
【請求項１１】
外装を構成するケースと、
前記ケースで支持された撮影光学系と、
前記撮影光学系の後方に設けられた撮像素子と、
前記ケースで支持され前記撮像素子が取着されたベースと、
前記撮影光学系を駆動する駆動機構とを備え、
前記撮影光学系は、レンズと、前記レンズを保持するレンズ枠と、前記レンズ枠に挿通されることで前記レンズ枠を光軸方向に案内するガイド軸とを有し、
前記駆動機構は、前記レンズ枠を前記ガイド軸に沿って移動させるように構成され、
前記ガイド軸の後端がベースに取着され前記ガイド軸はベースから前方に突出する撮像装置において、
前記ベースに、前記ガイド軸の外径よりも大きな内径の孔が形成されるとともに前記ベースの後面で前記孔の周囲に環状の当接面が設けられ、
前記ガイド軸の後端が固定されるガイド軸押え部材が設けられ、
前記ガイド軸押え部材は、前記ベースの当接面に当接される当接面と、前記ガイド軸の後端が嵌合される嵌合孔とを有し、
前記ガイド軸が前記孔に挿通され前記ガイド軸の外周面と孔の内周面との間に隙間が確保された状態で前記ベースの当接面と前記ガイド軸押え部材の当接面とが当接されて固定されている、
ことを特徴とする撮像装置。
【請求項１２】
外装を構成するケースと、
前記ケースで支持された撮影光学系と、
前記ケースで支持され撮像素子が取着されるベースと、
前記撮影光学系を駆動する駆動機構とを備え、
前記撮影光学系は、レンズと、前記レンズを保持するレンズ枠と、前記レンズ枠に挿通されることで前記レンズ枠を光軸方向に案内するガイド軸とを有し、
前記駆動機構は、前記レンズ枠を前記ガイド軸に沿って移動させるように構成され、
前記ガイド軸の後端がベースに取着され前記ガイド軸はベースから前方に突出するレンズ装置において、
前記ベースに、前記ガイド軸の外径よりも大きな内径の孔が形成されるとともに前記ベースの後面で前記孔の周囲に環状の当接面が設けられ、
前記ガイド軸の後端が固定されるガイド軸押え部材が設けられ、
前記ガイド軸押え部材は、前記ベースの当接面に当接される当接面と、前記ガイド軸の後端が嵌合される嵌合孔とを有し、
前記ガイド軸が前記孔に挿通され前記ガイド軸の外周面と孔の内周面との間に隙間が確保された状態で前記ベースの当接面と前記ガイド軸押え部材の当接面とが当接されて固定されている、
ことを特徴とするレンズ装置。
【発明の詳細な説明】
【技術分野】
【０００１】
本発明は撮像装置、レンズ装置および撮像装置、並びに、レンズ装置および撮像装置の製造方法に関する。
【背景技術】
【０００２】
近年、デジタルスチルカメラ、デジタルビデオカメラ等の撮像装置においては、携帯性の向上・使い勝手の良化が求められ、装置全体の小型化が行われており、撮像装置に用いられる光学系鏡筒・レンズの小型化も進められている。
また、デジタルスチルカメラ、デジタルビデオカメラ等の撮像装置において使用されている、いわゆる沈胴レンズに関しても、既述の携帯性の利便性という観点から、小型化・薄型化が要望されている。特に、近年のデジタルスチルカメラにおいては、シャツの胸ポケットやジーンズのポケットに入るなど、更なる携帯性の利便性を追求した商品が好まれる傾向にあり、光学系鏡筒としての薄型化が強く要望されている。
ここで、いわゆる沈胴レンズ・沈胴鏡筒については特許文献１、レンズ駆動機構については特許文献２などに開示されている。一般的に沈胴レンズ・沈胴式カメラの可動レンズを高精度に芯合わせしつつ、光軸方向に移動可能に狭持するためには、すなわち撮影光学系の光学的な精度の向上を図るためには、ガイド軸の高精度な位置決め・固定が必要となる。
【０００３】
【特許文献１】特開２００２−２９６４８０号公報
【特許文献２】特開２００２−２８７００２号公報
【発明の開示】
【発明が解決しようとする課題】
【０００４】
近年、撮像素子の高画素化により撮影光学系の光学的な精度として非常に高いものが求められてきているが、上述した従来技術においては、ガイド軸押さえや鏡筒部分の加工精度や組立精度にも限界があり、ガイド軸の位置決め精度を向上させることが困難になっていきている。
本発明は、このような事情に鑑みなされたものであり、ガイド軸の高精度な位置決め・固定を行なう上で有利なレンズ装置および撮像装置、並びに、レンズ装置および撮像装置の製造方法を提供することにある。
【課題を解決するための手段】
【０００５】
上述の目的を達成するため、本発明の撮像装置の製造方法は、外装を構成するケースと、前記ケースで支持された撮影光学系と、前記撮影光学系の後方に設けられた撮像素子と、前記ケースで支持され前記撮像素子が取着されたベースと、前記撮影光学系を駆動する駆動機構とを備え、前記撮影光学系は、レンズと、前記レンズを保持するレンズ枠と、前記レンズ枠に挿通されることで前記レンズ枠を光軸方向に案内するガイド軸とを有し、前記駆動機構は、前記レンズ枠を前記ガイド軸に沿って移動させるように構成され、前記ガイド軸の後端がベースに取着され前記ガイド軸はベースから前方に突出する撮像装置において、前記ベースに取付部を設け、前記ガイド軸の前端を予め前記ベースに対して位置決めして固定し、前記取付部に、前記ガイド軸の後端が固定されるガイド軸押え部材を設け、前記ガイド軸押え部材を前記取付部において前記ガイド軸の延在方向に対して直交する方向に動かし前記ガイド軸の後端の位置調節を行なった後、前記ガイド軸押え部材を取付部に固定するようにしたことを特徴とする。
また、本発明のレンズ装置の製造方法は、外装を構成するケースと、前記ケースで支持された撮影光学系と、前記ケースで支持され撮像素子が取着されるベースと、前記撮影光学系を駆動する駆動機構とを備え、前記撮影光学系は、レンズと、前記レンズを保持するレンズ枠と、前記レンズ枠に挿通されることで前記レンズ枠を光軸方向に案内するガイド軸とを有し、前記駆動機構は、前記レンズ枠を前記ガイド軸に沿って移動させるように構成され、前記ガイド軸の後端がベースに取着され前記ガイド軸はベースから前方に突出するレンズ装置において、前記ベースに取付部を設け、前記ガイド軸の前端を予め前記ベースに対して位置決めして固定し、前記取付部に、前記ガイド軸の後端が固定されるガイド軸押え部材を設け、前記ガイド軸押え部材を前記取付部において前記ガイド軸の延在方向に対して直交する方向に動かし前記ガイド軸の後端の位置調節を行なった後、前記ガイド軸押え部材を取付部に固定するようにしたことを特徴とする。
また、本発明の撮像装置は、外装を構成するケースと、前記ケースで支持された撮影光学系と、前記撮影光学系の後方に設けられた撮像素子と、前記ケースで支持され前記撮像素子が取着されたベースと、前記撮影光学系を駆動する駆動機構とを備え、前記撮影光学系は、レンズと、前記レンズを保持するレンズ枠と、前記レンズ枠に挿通されることで前記レンズ枠を光軸方向に案内するガイド軸とを有し、前記駆動機構は、前記レンズ枠を前記ガイド軸に沿って移動させるように構成され、前記ガイド軸の後端がベースに取着され前記ガイド軸はベースから前方に突出する撮像装置において、前記ベースに、小径孔が形成されるとともに前記ベースの後面で前記小径孔の周囲に環状の当接面が設けられ、前記ガイド軸の後端が固定されるガイド軸押え部材が設けられ、前記ガイド軸押え部材は、前記ベースの当接面に当接される当接面と、前記小径孔に挿通される該小径孔よりも外径の小さい小径軸部と、前記小径軸部の前端面に形成され前記ガイド軸の後端が嵌合される嵌合孔とを有し、前記小径軸部が前記小径孔に挿通され前記小径軸部の外周面と小径孔の内周面との間に隙間が確保された状態で前記ベースの当接面と前記ガイド軸押え部材の当接面とが当接されて固定されていることを特徴とする。
また、本発明のレンズ装置は、外装を構成するケースと、前記ケースで支持された撮影光学系と、前記ケースで支持され撮像素子が取着されるベースと、前記撮影光学系を駆動する駆動機構とを備え、前記撮影光学系は、レンズと、前記レンズを保持するレンズ枠と、前記レンズ枠に挿通されることで前記レンズ枠を光軸方向に案内するガイド軸とを有し、前記駆動機構は、前記レンズ枠を前記ガイド軸に沿って移動させるように構成され、前記ガイド軸の後端がベースに取着され前記ガイド軸はベースから前方に突出するレンズ装置において、前記ベースに、小径孔が形成されるとともに前記ベースの後面で前記小径孔の周囲に環状の当接面が設けられ、前記ガイド軸の後端が固定されるガイド軸押え部材が設けられ、前記ガイド軸押え部材は、前記ベースの当接面に当接される当接面と、前記小径孔に挿通される該小径孔よりも外径の小さい小径軸部と、前記小径軸部の前端面に形成され前記ガイド軸の後端が嵌合される嵌合孔とを有し、前記小径軸部が前記小径孔に挿通され前記小径軸部の外周面と小径孔の内周面との間に隙間が確保された状態で前記ベースの当接面と前記ガイド軸押え部材の当接面とが当接されて固定されていることを特徴とする。
また、本発明の撮像装置は、外装を構成するケースと、前記ケースで支持された撮影光学系と、前記撮影光学系の後方に設けられた撮像素子と、前記ケースで支持され前記撮像素子が取着されたベースと、前記撮影光学系を駆動する駆動機構とを備え、前記撮影光学系は、レンズと、前記レンズを保持するレンズ枠と、前記レンズ枠に挿通されることで前記レンズ枠を光軸方向に案内するガイド軸とを有し、前記駆動機構は、前記レンズ枠を前記ガイド軸に沿って移動させるように構成され、前記ガイド軸の後端がベースに取着され前記ガイド軸はベースから前方に突出する撮像装置において、前記ベースに、前記ガイド軸の外径よりも大きな内径の孔が形成されるとともに前記ベースの後面で前記孔の周囲に環状の当接面が設けられ、前記ガイド軸の後端が固定されるガイド軸押え部材が設けられ、前記ガイド軸押え部材は、前記ベースの当接面に当接される当接面と、前記ガイド軸の後端が嵌合される嵌合孔とを有し、前記ガイド軸が前記孔に挿通され前記ガイド軸の外周面と孔の内周面との間に隙間が確保された状態で前記ベースの当接面と前記ガイド軸押え部材の当接面とが当接されて固定されていることを特徴とする。
また、本発明のレンズ装置は、外装を構成するケースと、前記ケースで支持された撮影光学系と、前記ケースで支持され撮像素子が取着されるベースと、前記撮影光学系を駆動する駆動機構とを備え、前記撮影光学系は、レンズと、前記レンズを保持するレンズ枠と、前記レンズ枠に挿通されることで前記レンズ枠を光軸方向に案内するガイド軸とを有し、前記駆動機構は、前記レンズ枠を前記ガイド軸に沿って移動させるように構成され、前記ガイド軸の後端がベースに取着され前記ガイド軸はベースから前方に突出するレンズ装置において、前記ベースに、前記ガイド軸の外径よりも大きな内径の孔が形成されるとともに前記ベースの後面で前記孔の周囲に環状の当接面が設けられ、前記ガイド軸の後端が固定されるガイド軸押え部材が設けられ、前記ガイド軸押え部材は、前記ベースの当接面に当接される当接面と、前記ガイド軸の後端が嵌合される嵌合孔とを有し、前記ガイド軸が前記孔に挿通され前記ガイド軸の外周面と孔の内周面との間に隙間が確保された状態で前記ベースの当接面と前記ガイド軸押え部材の当接面とが当接されて固定されていることを特徴とする。
【発明の効果】
【０００６】
そのため、本発明によれば、ガイド軸の前端を予めベースに対して位置決めして固定し、ガイド軸押え部材を取付部においてガイド軸の延在方向に対して直交する方向に動かしガイド軸の後端の位置調節を行なった後、ガイド軸押え部材を取付部に固定するようにした。
したがって、ガイド軸押え部材を動かすことによってレンズ枠部分の微調節を行なうことが可能となり、ガイド軸の高精度な位置決め・固定を行なう上で有利となる。
【発明を実施するための最良の形態】
【０００７】
ガイド軸の高精度な位置決め、固定を行なうという目的を、ガイド軸の後端を固定するガイド軸押え部材をベース側の取付部において動かしガイド軸の位置調節を行なうことによって実現した。
以下、本発明の撮像装置およびレンズ装置を、その製造方法とともに説明する。
【実施例１】
【０００８】
次に本発明の実施例１について図面を参照して説明する。
図１は実施例１の撮像装置の斜視図、図２は実施例１の撮像装置の構成を示すブロック図である。
図１に示すように、本実施例の撮像装置１００はデジタルスチルカメラであり、外装を構成するケース１０２を有している。
ケース１０２の前面右側部寄りの箇所には撮影光学系１０４を収容保持する沈胴式の鏡筒１が設けられ、ケース１０２の前面上部寄りの箇所には閃光を発光するフラッシュ部１０６、光学式ファインダの対物レンズ１０８などが設けられている。
鏡筒１はケース１０２の内部に組み込まれた駆動部１２４（図２）によってケース１０２の前面から前方に突出した使用位置（広角状態、望遠状態）とケース１０２の前面に収容された収容位置（沈胴状態）との間を出没するように構成されている。
ケース１０２の上端面にはシャッタボタン１１０が設けられ、ケース１０２の後面には、前記光学式ファインダの接眼窓（不図示）、電源のオンオフ、撮影モード、再生モードの切替など種々の操作を行なうための複数の操作スイッチ１１２、撮像した映像を表示するディスプレイ１１４（図２）などが設けられている。
【０００９】
図２に示すように、撮像装置１００は、撮影光学系１０４によって結像された被写体像を撮像するＣＣＤやＣＭＯＳセンサなどで構成された撮像素子１１６、該撮像素子１１６から出力された撮像信号に基づいて画像データを生成し、メモリカードなどの記憶媒体１１８に記録する画像処理部１２０、前記画像データをディスプレイ１１４に表示させる表示処理部１２２、駆動部１２４、操作スイッチ１１２やシャッタボタン１１０の操作に応じて画像処理部１２０、表示処理部１２２、駆動部１２４を制御するＣＰＵなどを含む制御部１２６などを備えている。
【００１０】
次に、鏡筒１の概略構成について説明する。
図３は鏡筒１の状態を説明する斜視図で、（ａ）が不使用時のレンズ収納状態すなわち沈胴状態を示すもの、（ｂ）が広角状態、（ｃ）が望遠状態を示すものである。図４は沈胴レンズの断面図であり、（ａ）が沈胴状態、（ｂ）が広角状態、（ｃ）が望遠状態を示すものである。図５は沈胴レンズの分解斜視図である。
【００１１】
図４に示すように、鏡筒１は光学的には３群構成である。鏡筒１は、１群と２群が所定のカムカーブに沿って光軸方向に駆動されることによってズーミングを行い、３群が光軸方向に微小に変位されることによってフォーカッシングを行う。すなわち、１群と２群の変位によって焦点距離を可変し、この焦点距離の変化によって生じた合焦位置のずれを３群の変位によって修正し適切に合焦させるように構成されている。
【００１２】
図４、図５に示すように、１群レンズ枠２は、カム環４のカム溝４ｂに嵌合される３本（複数本）のカムピン２ａと、１群を構成する複数のレンズを挿入・固定する複数のレンズ室２ｂと、収納時、沈胴状態においてレンズ前玉を保護するバリア機構部２ｃとを備えている。
２群レンズ枠３は、カム環４のカム溝４ｃに嵌合される３本（複数本）のカムピン３ａと、２群を構成する複数のレンズを挿入、固定する複数のレンズ室３ｂとを備えている。また、２群レンズ枠３はアイリス・シャッター機構を構成してもよい。
カム環４は、ギアユニットによって駆動されることによりカム環４を固定環６の内径で回転駆動するためのギア部４ａと、１群レンズ枠２のカムピン２ａが嵌合される３本（複数本）のカム溝４ｂと、２群レンズ枠３のカムピン３ａが嵌合される３本（複数本）のカム溝４ｃと、固定環６のカム溝６ａに嵌合される３本（複数本）のカムピン４ｄとを備えている。
カム溝４ｂおよびカム溝４ｃは、１群および２群を所定のカーブに沿って光軸方向に移動させ、ズーミング動作を行うものである。
直進案内環５は、カム環４と一体的に固定環６の内径で光軸方向に移動する部材で、１群レンズ枠２を光軸方向にガイドする案内溝５ａと、２群レンズ枠３を光軸方向にガイドする案内溝５ｂとを備えている。
固定環６は、ベース８に固定される部材で、カム環４のカムピン４ｄが嵌合される３本（複数本）のカム溝６ａを備えている。
【００１３】
３群レンズ枠７は３群を構成するレンズ７１を挿入・固定するためのレンズ室を備え、本発明のレンズ枠を構成するものである。
３群レンズ枠７は、ベース８に対して光軸方向に移動可能に保持されており、後述するステッピングモータなどの動力源によって光軸方向に微小に変位することができる。
ベース８には、固定環６、ガイド軸押え部材９、ギアユニット（不図示）が位置決め・固定される。
ベース８は、光学式ローパスカットフィルタや赤外カットフィルタなどの光学フィルタ１１を挿入・位置決め・固定するための凹部と、鏡筒内部へのゴミなどの侵入を防止し、光学フィルタ１１を弾性付勢するためのシールゴム１２を挿入するための凹部とを備えている。
ベース８には撮像素子１１６が高精度に位置決め・固定される。
【００１４】
ギアユニットは、カム環４をギア部４ａによって駆動するものである。ギア比は、沈胴→広角→望遠および望遠→広角→沈胴の範囲において十分な駆動力を得られるように決められる。ギアユニットは、カム環４を駆動することにより、この沈胴レンズのズーミング動作を行う。
後述するステッピングモータなどにより構成される駆動機構１５は、３群レンズ枠７を光軸方向に微小に変位するものであり構成については後述する。
【００１５】
また、本例においては、１群レンズ枠２、２群レンズ枠３、３群レンズ枠７に保持された前記複数のレンズによって本発明の撮影光学系が構成されている。
また、本例において、１群レンズ枠２、２群レンズ枠３、カム環４、直進案内環５、固定環６、３群レンズ枠７、ベース８は、例えばガラス繊維を含有するポリカーボネート樹脂（黒色）などの繊維強化プラスチックで成形され、強度・遮光性と量産性を備えている。
【００１６】
次に、レンズの動作について説明する。
沈胴状態〜広角間の動作において、カム環４はギア部４ａがギアユニットによって駆動力を与えられることにより駆動されて、カムピン４ｄが固定環６のカム溝６ａに沿って回転しながら光軸方向に被写体側に向けて移動する。このとき、直進案内環５はカム環４と一体的に移動する（図４中矢印Ａ参照）。
このとき、１群レンズ枠２はカムピン２ａがカム溝４ｂおよび案内溝５ａに沿って所定のカーブによって移動する（図４中矢印Ｂ参照）。このとき、２群レンズ枠３はカムピン３ａがカム溝４ｃおよび案内溝５ｂに沿って所定のカーブによって移動する（図４中矢印Ｃ参照）。以上により、１群および２群は所定の位置に移動し、光学的に広角の位置になる。
【００１７】
広角〜望遠間の動作においても、カム環４はギア部４ａがギアユニットによって駆動力を与えられることにより駆動されるが、この範囲においてカム溝６ａはカム環４が光軸方向に駆動しないように形成されており、直進案内環５も光軸方向に移動しない（図４中矢印Ｄ参照）。
このとき、１群レンズ枠２はカムピン２ａがカム溝４ｂおよび案内溝５ａに沿って所定のカーブによって移動する（図４中矢印Ｅ参照）。このとき、２群レンズ枠３はカムピン３ａがカム溝４ｃおよび案内溝５ｂに沿って所定のカーブによって移動する（図２中矢印Ｆ参照）。以上により、１群および２群は所定のカーブに沿って移動し、光学的に広角〜望遠間を移動することによってズーミング動作を行う。
【００１８】
望遠→広角→沈胴状態については、ギアユニットを上記動作と反対向きに駆動することでカム環４を反対向きに回転させることによって行う。上記のギアユニットによるカム環４の駆動によって鏡筒１は沈胴動作およびズーミング動作を行うが、これとは別に駆動機構１５によって３群が光軸方向に微小に変位することによりフォーカッシング動作を行う（図４中矢印Ｇ参照）。
【００１９】
次に、本実施例に係る撮像装置の主要な部分である、３群レンズ枠７、ガイド軸１４、ガイド軸１４を保持するガイド軸保持壁９１およびガイド軸押え部材９、駆動機構１５の構成について詳細に説明する。
図６は本実施例に係る撮像装置の要部を説明する分解斜視図、図７は本実施例に係る撮像装置の要部の組み立て状態を説明する斜視図、図８（ａ）はガイド軸押え部材をベースに取付ける前の前側正面図、図８（ｂ）はガイド軸押え部材をベースに取付ける前の後側正面図、図８（ｃ）はガイド軸押え部材をベースに取付けた状態の前側正面図、図８（ｂ）はガイド軸押え部材をベースに取付けた状態の後側正面図、図９は本実施例に係る撮像装置の要部の組み立て状態を説明する別の分解斜視図、図１０は図９のＡ１、Ａ２部分の拡大図、図１１は本実施例に係る撮像装置の要部の組み立て状態を説明する斜視図、図１２は本実施例に係る撮像装置の要部の断面図、図１３は本実施例に係る撮像装置のガイド軸押え部材近傍の断面図である。
【００２０】
図６に示すように、ガイド軸１４は、例えば均一外径の円柱状に形成され、ベース８に取付けられ３群レンズ枠７に挿通されることで３群レンズ枠７をレンズ７１の光軸方向に案内するものである。
図６、図１２に示すように、３群レンズ枠７は、板状に形成されその中央にレンズ７１を保持し、径方向外側箇所に、ガイド軸１４が挿通される軸受部７ａと、ステッピングモータなどにより構成される駆動機構１５に連結される連結片７ｂとが設けられている。
また、レンズ７１を挟んで軸受部７ａと対向する３群レンズ枠７の部分にはベース８から起立された軸８ｂが挿通されており、これにより３群レンズ枠７がガイド軸１４を中心に回転しないようになっている。
【００２１】
ガイド軸１４のベース８への取付は、ガイド軸保持壁９１およびガイド軸押え部材９を用いてなされている。
ガイド軸保持壁９１はベース８と一体に例えば型成形によって設けられている。
ガイド軸保持壁９１は、ベース８の撮像素子１１６の前方に面した箇所から前記光軸に沿って前方に延在する２つの延出部９１ａと、延出部９１ａの先端を連結する先端部９１ｂとで構成され、先端部９１ｂはベース８に臨んでいる。また、２つの延出部９１ａは、ガイド軸１４をその周方向から挟むような２箇所に沿って設けられている。
図１２に示すように、先端部９１ｂ、すなわちガイド軸保持壁９１の前端には、ガイド軸１４の前端を保持する凹部９１ｃが設けられ、該凹部９１ｃはガイド軸１４の先端が挿入される有底状の円柱孔で形成されている。この有底状の孔は例えば断面Ｄ字形を呈している。なお、図１２において２つの延出部９１ａは図示が省略されている。
【００２２】
図８（ａ）、（ｂ）、図１３に示すように、ガイド軸保持壁９１の基端に位置するベース８箇所、言い換えるとガイド軸１４の突出方向に向いたベース８の前面箇所には、小径孔８Ａが設けられ、この小径孔８Ａと同軸上でベース８の後面に大径凹部８Ｂが設けられている。これら小径孔８Ａ、大径凹部８Ｂは、凹部９１ｃとほぼ同軸上に形成されている。なお、本実施例では、これら小径孔８Ａ、大径凹部８Ｂによって特許請求の範囲の取付部が構成されている。
図６、図１３に示すように、ガイド軸押え部材９は円盤状を呈し、小径軸部９Ａと、小径軸部９Ａと同軸上の大径軸部９Ｂと、小径軸部９Ａの端面に設けられた嵌合孔９Ｃとを有し、これら小径軸部９Ａ、大径軸部９Ｂ、嵌合孔９Ｃとは同軸上に設けられている。
小径軸部９Ａは、小径孔８Ａよりも直径が小さく形成され、大径軸部９Ｂは、大径凹部８Ｂよりも直径が小さく形成されている。嵌合孔９Ｃは、ガイド軸１４の後端が嵌合される有底状の孔で形成されている。この有底状の孔は例えば断面Ｄ字形を呈している。
なお、ガイド軸押え部材９は、円盤状以外の形状、例えば楕円板状、多角形板状などであってもかまわない。同様に、小径孔８Ａおよび大径凹部８Ｂの形状も円形以外の形状であってもかまわない。
また、ガイド軸押さえ部材９に大径凹部８Ｂの縁部にベース８の前面側から係止する凸部を設ければ、衝撃荷重がガイド軸押え部材９に加わった際の強度を保証する上で有利となる。この場合、前記凸部はガイド軸押え部材９を光軸と直交する方向に位置調整する際の妨げにはならない。
【００２３】
図７、図８（ｃ）、（ｄ）、図１３に示すように、ガイド軸押え部材９は、大径軸部９Ｂが大径凹部８Ｂに収容されるとともに小径軸部９Ａが小径孔８Ａに収容され、かつ、大径軸部９Ｂと小径軸部９Ａとの境をなす平坦な環状端面からなる当接面９Ｄ（特許請求の範囲のガイド軸押え部材の当接面に相当）が大径凹部８Ｂの底面からなる当接面８Ｃ（特許請求の範囲のベースの当接面に相当）に当て付けられて配設されている。
そして、ガイド軸１４は、その前端が凹部９１ｃに保持されるとともに、後端が嵌合孔９Ｃに嵌合固定された状態で、ガイド軸１４の延在方向に対して直交する方向にガイド軸押え部材９が動かされ、これによりレンズ７１の光軸が１群および２群のレンズの光軸と平行するように位置調節がなされる。
この位置調節は、例えば、市販のＸＹテーブルなどを用いて行なわれる。
位置調節後、大径凹部８Ｂに接着剤Ｓが塗布され大径凹部８Ｂ内において大径軸部９Ｂが固定され、これによりガイド軸押え部材９がベース８に固定されている。すなわち、小径軸部９Ａが小径孔８Ａに挿通され小径軸部９Ａの外周面と小径孔８Ａの内周面との間に隙間が確保された状態で当接面８Ｃと当接面９Ｄとが当接されて固定されている。前記接着剤Ｓとしては例えばＵＶ硬化型接着剤を用いることができ、その場合には接着剤Ｓを硬化させるために紫外線を照射することになる。
【００２４】
図１２に示すように、３群レンズ枠７の軸受部７ａとガイド軸押え部材９との間のガイド軸１４部分には圧縮コイルばね９２が設けられており、該圧縮コイルばね９２によって３群レンズ枠７はベース８から離間する方向に付勢されている。
また、ベース８の中央には開口が形成され、前記開口に臨むベース８の後面箇所には撮像素子１１６を収容保持する凹状の収容部８ｃが設けられている。
【００２５】
駆動機構１５は、図６、図１１、図１２に示すように、ステッピングモータなどからなるモータ１６と、該モータ１６の出力軸を構成するリードスクリュー１５ａと、該リードスクリュー１５ａに螺合しリードスクリュー１５ａの回転によりリードスクリュー１５ａの延在方向に移動されるナット１５ｃと、該ナット１５ｃの回転防止用のロッド１５ｄ（図１１）と、前記モータをベース８に対して位置決め・固定するためのモータ配設用部材１５ｂとを備えている。
ナット１５ｃは、その後面が３群レンズ枠７の連結片７ｂの前面に対面しており、圧縮コイルばね９２の付勢力によって連結片７ｂはナット１５ｃの後面に当て付けられている。したがって、３群レンズ枠７はナット１５ｃの動きに追従して移動するように構成されている。
ロッド１５ｄはリードスクリュー１５ａと間隔をおいてほぼ平行に延在するようにモータ配設用部材１５ｄに取付けられている。ナット１５ｃは、該ナット１５ｃに設けられた係合凹部がロッド１５ｄに係合することでリードスクリュー１５ａの延在方向には移動するが、リードスクリュー１５ａの周方向に回転することが防止されている。
【００２６】
図９、図１０に示すように、モータ１６にはモータ配設用部材１５ｂが取着されており、このモータ配設用部材１５ｂがベース８に取着されることでモータ１６が配設されている。
モータ配設用部材１５ｂは、モータ１６のケースの端面に取着される第１支片１５ｂ１と、第１支片１５ｂ１に対向する第２支片１５ｂ２と、これら第１、第２支片１５ｂ１、１５ｂ２を連結する第３支片１５ｂ３とを備えている。モータ配設用部材１５ｂは例えば鋼板で構成することができるが、これに限定されるものではない。
第１支片１５ｂ１には、リードスクリュー１５ａの延在方向に対して直交する面に沿って突出形成された突出部１５ｂ４が設けられている。この突出部１５ｂ４には、ねじ挿通用の孔１５ｂ５が形成され、ねじ挿通用の孔１５ｂ５に連通し突出部１５ｂ４の突出方向に延在する係合孔１５ｂ６と、位置決め用孔１５ｂ７とが形成されている。
第３支片１５ｂ３は第１支片１５ｂ１の基端から延在しており、第２支片１５ｂ２は第３支片１５ｂ３の先端に設けられ、第２支片１５ｂ２は、リードスクリュー１５ａの先端を軸受孔などを介して支持するように形成されている。
言い換えると、モータ配設用部材１５ｂは、互いに対向し軸の両端を支持する第１支片および第２支片と、これら第１支片、第２支片を連結する第３支片とを備える軸配設用支持片であって、前記第１支片または第２支片の一方に、前記軸の延在方向に対して直交する面に沿って突出形成された突出部が設けられ、前記突出部に、ねじ挿通用の孔と、前記ねじ挿通用の孔の半径方向の外側箇所に設けられた係合孔とが設けられている。
また、さらに言い換えると、モータ配設用部材１５ｂは、出力軸が突出するモータのケースの端面に取着されたモータ配設用部材であって、前記ケースの端面に取着される第１支片と、前記第１支片に対向し前記出力軸の先端を支持する第２支片と、これら第１支片、第２支片を連結する第３支片と、前記第１支片に、前記出力軸の延在方向に対して直交する面に沿って突出形成された突出部と、前記突出部に形成されたねじ挿通用の孔と、前記ねじ挿通用の孔の半径方向の外側箇所に形成された係合孔とを備えている。
【００２７】
図９、図１０に示すように、ベース８には、ねじ挿通用の孔１５ｂ５に対応する箇所にねじ孔８ｄが形成され、該ねじ孔８ｄの外周には円環状の取付面８ｅがベース８の前面側に突出形成されている。
取付面８ｅの周方向の一部には、取付面８ｅよりも低い凹部８ｋが形成され、該凹部８ｋには取付面８ｅよりも高い位置まで突出する凸部８ｆが設けられている。該凸部８ｆは係合孔１５ｂ６に係合するように形成されている。
凸部８ｆは係合孔１５ｂ６に係合することによってモータ配設用部材１５ｂがねじ挿通孔１５ｂ５を中心に揺動することを防止する回り止めの機能を実現している。また、本例では、凸部８ｆが取付面８ｅと同じ径方向の位置に設けられているので、狭いスペースに凸部８ｆを配置できる。これにより、モータ配設用部材１５ｂをベース８に取付けるための占有スペースを低減でき、ベース８上に他の部材を配設するスペースを確保する上でも有利となる。また、本例では、凸部８ｆは径方向に細長形状に形成されているので、係合孔１５ｂ６の縁部から加わる面圧力に対する強度を高める上で有利となっている。
また、位置決め用孔１５ｂ７に係合する位置決め用のボス８ｈが突設され、該ボス８ｈを挟むように２つの凸部８ｊが設けられ、これら凸部８ｊによって取付面８ｅと同じ高さの取付面８ｇが構成されている。これら取付面８ｇ、ボス８ｈはねじ孔８ｄから離間した箇所に位置している。
また、図９、図１２に示すように、ベース８には、第１支片１５ｂ１の縁部の前面に係合する係合片８ｉが設けられている。
【００２８】
駆動機構１５のベース８に対する取付は次のように行なう。
図９、図１０、図１２に示すように、モータ配設用部材１５ｂの第１支片１５ｂ１の縁部をベース８の係合片８ｉに係合させ、位置決め用孔１５ｂ７をボス８ｈに係合させ、係合孔１５ｂ６を凸部８ｆに係合させる。これによりねじ挿通孔１５ｂ５およびねじ孔８ｄの位置が一致するので、１つのねじをねじ挿通孔１５ｂ５からねじ孔８ｄに挿入して螺合し締結する。この結果、図１１に示すように、モータ配設用部材１５ｂがベース８に固定され、これにより駆動機構１５がベース８に取付けられることになる。
この際、ガイド軸１４に対してリードスクリュー１５ａは突出部１５ｂ４の突出方向に位置しており、圧縮コイルばね９２の付勢力が軸受部７ａ、連結片７ｂ、ナット１５ｃを介してリードスクリュー１５ａに作用するので、モータ配設用部材１５ｂが突出部１５ｂ４の突出方向に向かって倒れる方向に僅かであるが傾斜しようとする。また、前記ねじの締結力によって第１支片１５ｂ１が凹部８ｋ方向に傾くこととにより、モータ配設用部材１５ｂが突出部１５ｂ４の突出方向に向かって倒れる方向に僅かであるが傾斜しようとする。
しかしながら、突出部１５ｂ４の突出方向の先端において取付面８ｇが突出片１５ｂ４に当接しており、また、図１２に示すように、第１支片１５ｂ１の縁部が係合片８ｉに係合しているため前記傾斜は抑制される。
このため、第１支片１５ｂとベース８とが互いに当て付けられる面の面積が少ないにも拘わらず、リードスクリュー１５ａおよび３群レンズ枠７に保持されたレンズ７１が光軸に対して傾斜して光学的特性が悪化することを防止することができ、レンズ７１の光学的特性を確保しつつ小型化を図る上で有利となる。
また、１つのねじでモータ配設用部材１５ｂをベース８に取付けることができ、レンズ７１の光学的特性を確保しつつ部品点数の削減を図る上で有利となる。
また、モータ配設用部材１５ｂの強度が低いほど、すなわちモータ配設用部材１５ｂの肉厚が薄いほどモータ配設用部材１５ｂの傾斜が顕著となることが想定されるが、前述のようにモータ配設用部材１５ｂの傾斜を抑制できるので、モータ配設用部材１５ｂの強度、言い換えれば大きさや肉厚を軽減することが可能となり、部品コストを低減する上で有利となる。このようにモータ配設用部材１５ｂを小型化および薄型化することによりレンズ装置全体の小型化および薄型化を図る上でも有利となる。
また、モータ配設用部材１５ｂの傾斜を抑制できるので、第１枠、第２枠の移動軌跡とモータ配設用部材１５ｂとの間に設ける空間的余裕を抑制することができ、小型化を図る上でも有利となる。
なお、モータ配設用部材１５ｂの傾斜を防止できれば係合片８ｉは省略できる。
また、本実施例においては、ベース８、レンズ７１、レンズ枠７、ガイド軸１４、ガイド軸保持壁９によって本発明のレンズ装置が構成されている。
【００２９】
次に、本実施例の作用、効果について説明する。
本実施例によれば、ガイド軸保持壁によりガイド軸の前端を予めベースに対して位置決めして固定し、ガイド軸押え部材を取付部においてガイド軸の延在方向に対して直交する方向に動かしガイド軸の後端の位置調節を行なった後、ガイド軸押え部材を取付部に固定するようにした。
そのため、ガイド軸押え部材９を動かした場合に、３群レンズ枠７は、べース８に近い側の変位量に比較してベース８から遠い側の変位量が小さなものとなり、したがって、ガイド軸押え部材９を動かすことによってベース８から遠い側のレンズ枠７部分の微調節を簡単にかつ確実に行なうことが可能となる。
また、本実施例によれば、ガイド軸押え部材９が動かされ、３群のレンズ７１の光軸が１群および２群のレンズの光軸と平行するように位置調節がなされた後、大径凹部８Ｂに接着剤が塗布され大径凹部８Ｂ内において大径軸部９Ｂが固定され、したがってガイド軸押え部材９の固定も簡単になされる。
したがって、厳しい近距離でのフォーカス合わせ精度を向上できるため、収差、すなわち結像ずれや色ずれなどの発生を抑制でき、また、近距離（至近側）での片ボケを抑制する上で有利となる。
また、画素数の多い撮像素子１１６を用いた場合に要求される高い光学的な精度を満足させることが可能となる。
また、ガイド軸１４の後端を保持するガイド軸押え部材９を動かすだけでガイド軸１４の位置を調整できるので、ガイド軸１４の位置調整を行なう専用部品が不要となり、部品点数を削減するとともに調整および組立を簡素化する上で有利となり、接着剤を用いたガイド軸押え部材９の固定であるので、その固定も簡単になされる。
また、ベース８の当接面８Ｃにガイド軸押え部材９の当接面９Ｄが当て付けられた状態でガイド軸押え部材９およびガイド軸１４の位置を調節するため、ガイド軸１４を光軸に対して正確に直交させつつ位置決めする上で有利となる。
また、ガイド軸押え部材９の当接面９Ｄと、ベース８の当接面８Ｃとを省略し、これら当接面同士を当て付けないでガイド軸押え部材９およびガイド軸１４の位置を調節するようにしても無論かまわない。この場合にはガイド軸押え部材９の光軸と直交する方向の寸法を小さくすることができ、小型化を図る上で有利となる。この場合、ガイド軸押え部材９はガイド軸１４によってその光軸方向の位置が決められることになる。
また、ガイド軸押え部材９のベース８への固定は接着に限らず、熱かしめを用いてもよい。熱かしめを用いた場合には、例えばＵＶ硬化型接着剤を用いる場合に比較して紫外線照射が不要となるため、紫外線照射装置が不要となるとともに、ＵＶ硬化型接着剤の硬化時間に比較してより短時間に固定ができる利点がある。
【実施例２】
【００３０】
次に、実施例２について説明する。
実施例２が実施例１と異なっているのは、ガイド軸押え部材９の形状である。
図１４は実施例２に係る撮像装置のガイド軸押え部材近傍の断面図である。
本実施例においても、実施例１と同様に、ガイド軸１４のベース８への取付は、ガイド軸保持壁９１およびガイド軸押え部材９を用いてなされている。
ガイド軸保持壁９１の基端に位置するベース８箇所には、ガイド軸１４の外径よりも大きな内径の孔８Ｄが形成されるとともに、ベース８の後面で孔８の周囲に環状の当接面８Ｅが設けられている。
なお、本実施例では、孔８Ｄによって特許請求の範囲の取付部が構成されている。
ガイド軸押え部材９は円盤状を呈し、ベース８の当接面８Ｅに当接される当接面９Ｅと、ガイド軸１４の後端が嵌合される嵌合孔９Ｆとを有している。
【００３１】
ガイド軸１４は、その後端が孔８Ｄに挿通されガイド軸１４の外周面と孔８Ｄの内周面との間に隙間が確保された状態でベース８の当接面８Ｄにガイド軸押え部材９の当接面９Ｅが当て付けられて配設されている。
そして、ガイド軸１４は、実施例１と同様に、その前端が凹部９１ｃに保持され、ガイド軸１４の延在方向に対して直交する方向にガイド軸押え部材９がＸＹテーブルなどを用いて動かされ、これによりレンズ７１の光軸が１群および２群のレンズの光軸と平行するように位置調節がなされる。位置調節後、ガイド押え部材９とベース８の後面との間に接着剤Ｓが塗布され、これによりガイド軸押え部材９がベース８に固定されている。
実施例２においてもガイド軸押え部材９のベース８への固定は接着に限らず、熱かしめを用いてもよいことは勿論である。
【００３２】
このような実施例２によっても実施例１と同様の作用、効果を奏することができる。
また、実施例２によれば、ガイド軸押え部材９が軸部９Ａを有していないため、ガイド軸押え部材９やベース８の孔８Ｄの形状が簡素化でき、コストを低減する上で有利となる。
【００３３】
なお、上述した各実施例では、図１２に示すように、圧縮コイルばね９２を軸受部７ａとガイド軸押え部材９との間のガイド軸１４部分に配設し、圧縮コイルばね９２によって３群レンズ枠７をベース８から離間する方向に付勢する構成としたが、図１４に示すように、圧縮コイルばね９２を軸受部７ａとガイド軸保持壁９１の先端部９１ｂとの間のガイド軸１４部分に配設し、圧縮コイルばね９２によって３群レンズ枠７をベース８に近接する方向に付勢する構成としてもよい。この場合には、ナット１５ｃは、その前面が３群レンズ枠７の連結片７ｂの後面に対面するように配置され、圧縮コイルばね９２の付勢力によって連結片７ｂがナット１５ｃの前面に当て付けられるように構成すればよい。
また、各実施例では、ガイド軸保持壁９１が２つの延出部９１ａと、延出部９１ａの先端を連結する先端部９１ｂとで構成されているが、延出部９１ａが１つあるいは３つ以上であってもよい。
また、各実施例では、第１凹部９１ｃおよび第２凹部９ａが断面Ｄ字形の有底状の孔で構成されているものとしたが、これら有底状の孔の形状は、例えば断面正円状の丸孔、あるいは、断面四角形状などの断面多角形の孔を呈していてもよく、要はガイド軸１４の前端および後端が位置決めされ保持されればよい。ここで有底状の孔とは、孔を全部塞ぐ形の底面部がある必要はなく、例えば、孔の一部に突起を設けるなどしてこの突起によりガイド軸１４の端部を保持するように構成されていればよいことは勿論である。
また、各実施例では、鏡筒１が沈胴式として構成されている場合について説明したが、本発明は鏡筒が沈胴式でない構成であっても無論適用可能である。
また、各実施例では、撮像装置としてデジタルスチルカメラを用いて説明したが、本発明は、ビデオカメラ、その他種々の撮像装置に適用可能である。
【図面の簡単な説明】
【００３４】
【図１】実施例１の撮像装置の斜視図である。
【図２】実施例１の撮像装置の構成を示すブロック図である。
【図３】鏡筒１の状態を説明する斜視図で、（ａ）が不使用時のレンズ収納状態すなわち沈胴状態を示すもの、（ｂ）が広角状態、（ｃ）が望遠状態を示すものである。
【図４】沈胴レンズの断面図であり、（ａ）が沈胴状態、（ｂ）が広角状態、（ｃ）が望遠状態を示すものである。
【図５】沈胴レンズの分解斜視図である。
【図６】実施例１に係る撮像装置の要部を説明する分解斜視図である。
【図７】実施例１に係る撮像装置の要部の組み立て状態を説明する斜視図である。
【図８】実施例１に係る撮像装置の要部を説明する正面図である。
【図９】実施例１に係る撮像装置の要部の組み立て状態を説明する別の分解斜視図である。
【図１０】図９のＡ１、Ａ２部分の拡大図である。
【図１１】実施例１に係る撮像装置の要部の組み立て状態を説明する斜視図である。
【図１２】実施例１に係る撮像装置の要部の断面図である。
【図１３】実施例１に係る撮像装置のガイド軸押え部材近傍の断面図である。
【図１４】撮像装置の変形例を示す要部の断面図である。
【図１５】実施例２に係る撮像装置のガイド軸押え部材近傍の断面図である。
【符号の説明】
【００３５】
１００……撮像装置、１０２……ケース、１１６……撮像素子、１……鏡筒、７……３群レンズ枠、７１……レンズ、８……ベース、８Ａ……小径孔、８Ｂ……大径凹部、９１……ガイド軸保持壁、９１ｃ……凹部、９……ガイド軸押え部材、９Ａ……小径軸部、９Ｂ……大径軸部、９Ｃ……取付孔、１４……ガイド軸、１５……駆動機構。
【図１】
2005055761.tif 000003
【図２】
2005055761.tif 000004
【図３】
2005055761.tif 000005
【図４】
2005055761.tif 000006
【図５】
2005055761.tif 000007
【図６】
2005055761.tif 000008
【図７】
2005055761.tif 000009
【図８】
2005055761.tif 000010
【図９】
2005055761.tif 000011
【図１０】
2005055761.tif 000012
【図１１】
2005055761.tif 000013
【図１２】
2005055761.tif 000014
【図１３】
2005055761.tif 000015
【図１４】
2005055761.tif 000016
【図１５】
2005055761.tif 000017